(57)【要約】【課題】  内部空気の処理モードを変化することが可能な空気清潔装置を提供する。【解決手段】  収容室１１、外部へ連通する第１の排出口１２１を含む第１処理室１２、外部へ連通する第２の排出口１２１を含む第２の処理室１３、収容室１１と第１の処理室１２とを連通する第１の通口１４、及び収容室１１と第２の処理室１３とを連通する第２の通口１５を備えるハウジング１０と、ハウジング１０の収容室１１に設けられ外部からの空気を吸い込むファン羽根２０と、第１の通口１４と第１の排出口１２１とを隔てる第１のフィルタ３０と、第２の通口１５と第２の排出口１３１とを隔てる第２のフィルタ４０と、ハウジング１０の収容室１１内に設けられた遮蔽具５２が第１の通口１４を開放して第２の通口１５を閉鎖する第１の位置及び第２の通口１５を開放して第１の通口１４を閉鎖する第２の位置の間で往復移動されるスイッチングユニット５０とを備える。【選択図】    図１
2006176101.tif 000002
【特許請求の範囲】
【請求項１】
内部に収容室、第１の処理室、第２の処理室、収容室と第１の処理室とを連通する第１の通口、及び収容室と第２の処理室とを連通する第２の通口を有し、前記収容室には外部へ連通する貫通口を含み、前記第１の処理室及び第２の処理室はそれぞれ外部へ連通する第１の排出口及び第２の排出口を有するハウジングと、
前記ハウジングの収容室に設けられ、外部からの空気を前記収容室内に吸い込むファン羽根と、
前記ハウジングの第１の処理室内に設けられ、前記第１の通口と前記第１の排出口とを隔てる第１のフィルタと、
前記ハウジングの第２の処理室内に設けられ、前記第２の通口と前記第２の排出口とを隔てる第２のフィルタと、
前記ハウジングの収容室内に設けられた遮蔽具を備え、かつ前記遮蔽具が第１の位置及び第２の位置の間で往復移動され、この遮蔽具は前記第１の位置にあった場合、その胴部が前記ハウジングの第１の通口を開放して第２の通口を閉鎖し、前記遮蔽具は、前記第２の位置にあった場合、その胴部が前記ハウジングの第２の通口を開放して第１の通口を閉鎖するスイッチングユニットと、
を備えることを特徴とする処理モード変換可能な空気清潔装置。
【請求項２】
前記スイッチングユニットは、さらにそれぞれ前記第１の通口及び第２の通口に位置して前記収容室内に設けられたガイド柱を含み、前記遮蔽具はシート状のさくであって、そのシートが両方の前記ガイド柱の周りを回って前記第１の位置及び第２の位置の間を滑るのように移動可能であることを特徴とする請求項１に記載の処理モード変換可能な空気清潔装置。
【請求項３】
前記ハウジングは、透し孔を備え、前記スイッチングユニットは、さらに前記遮蔽具に接続する位置決めボタンを含み、この位置決めボタンの一端が前記ハウジングの貫通孔から突出し、作動により前記遮蔽部を移動可能であることを特徴とする請求項１に記載の処理モード変換可能な空気清潔装置。
【請求項４】
前記ハウジングは、レール溝を備え、装置に含まれた両可動引掛け具の各端部が摺動可能に前記レール溝の両端に嵌入されることを特徴とする請求項１に記載の処理モード変換可能な空気清潔装置。
【請求項５】
前記ハウジング外に設けられ、貫通口を閉鎖する活性炭素ろ網が含まれることを特徴とする請求項１に記載の処理モード変換可能な空気清潔装置。
【請求項６】
前記第１のフィルタは、二酸化炭素（ＣＯ2）の吸着フィルタ材からなり、前記第２のフィルタは触媒で一酸化炭素（ＣＯ）を酸化してなるものを特徴とする請求項１に記載の処理モード変換可能な空気清潔装置。
【発明の詳細な説明】
【技術分野】
【０００１】
本発明は、処理モード変換可能な空気浄化装置に関し、特に単機式であって、取付けが便利であり、かつ処理モード変換可能な空気清潔装置に関する。
【背景技術】
【０００２】
現有の車内空気清潔装置は、その形態により主にシステム型及び単機型の二種類に分けることができる。
前者は、清潔用部品を車の空調システムの空調風胴内に増設するもので、車と一体に結合されているため、車工場の専業者にて実施して製造する必要がある。例えば、車の操作制御機能に清潔運転の設定を取り入れると共に、元の空調システムのファン羽根の能力を増加させ空調風胴内において増加された風圧抵抗などを克服するためのものであるため、生産コストが高くなり、かつ日後の清潔保守及び消耗品フィルタ、吸着材などの部品の更新など、何れも車工場に処理してもらわなければならないので、消費者にとって長期的に清潔装置の保守に必要な費用が高くつく。
【０００３】
後者は、図６に示すように、主にハウジング８１内の前後方向に設けられたファン羽根８２及び清潔部材８３から構成され、それが独立的なユニットであるため、車体の元の空調システムの設計を変更せずに、車内の空気清潔機能を向上することができ、かつ伝統上では、この清潔部材８３に多くの清潔部品を結合しているので、これらの清潔部品により空気中の各異なる汚れた分子を吸着して車内の空気を一層清潔する効果が得られる。
【０００４】
しかし、清潔部材８３に結合される清潔部品の数が多くなるにつれて、 ハウジング８１内の風圧抵抗が大きくなり、該空気清潔装置８０の電力損失量及び運転騒音が増加されるだけでなく、ハウジング８１の体積を小型化することが難しくなるため、車内に設置された時、使用者に影響し動きが不便になる。次に、環境の違いによっても、空気中に存在する汚れた分子の比率が異なり、従来の単機式空気清潔装置８０は、その環境の変化に対応して空気の浄化を調節できないタイプであるため、そのシステムが常に低効率運転の状態に呈しているので、その処理部材の老化速度が早まり、各部材の使用寿命が短くなる。
【発明の開示】
【発明が解決しようとする課題】
【０００５】
本発明は、主に処理モード変換可能な空気清潔装置を提供することを目的とし、それにより、環境の変化に応じて、内部空気の処理モードを変化することができ、システムに不必要な運転ロードをなくして各処理部材の使用寿命を延長できると共に、保守コストを低減することができる。
【課題を解決するための手段】
【０００６】
上記目的を達成するために、本発明は、処理モード変換可能な空気清潔装置を提供する。ハウジング、ファン羽根、第１のフィルタ、第２のフィルタ、及びスイッチングユニットを含み、そのうち、前記ハウジング内は、収容室、第１の処理室、第２の処理室、収容室と第１の処理室とを連通する第１の通口、及び収容室と第２の処理室とを連通する第２の通口を備え、かつ前記収容室は、外部に連通する貫通口を含み、前記第１の処理室と前記第２の処理室は、それぞれ外部に連通する排出口が含まれ、前記ファン羽根は、前記ハウジングの収容室に設けられ、外部からの空気を収容室内に吸い込み、前記第１のフィルタは、前記ハウジングの第１の処理室内に設けられ前記第１の通口及び前記第１の排出口を隔て、前記第２のフィルタは、前記ハウジングの第２の処理室内に設けられ前記第２の通口及び前記第２の排出口の間を隔て、前記スイッチングユニットは、前記ハウジングの収容室内に設けられた遮蔽具を備え、該遮蔽具は、第１の位置及び第２の位置の間を往復移動することができ、この遮蔽具は、前記第１の位置にあった場合、その胴部が前記ハウジングの第１の通口を開放して第２の通口を閉鎖する。また、遮蔽具は、前記第２の位置にあった場合、その胴部が前記ハウジングの第２の通口を開放して第１の通口を閉鎖することができる。このように、前記遮蔽具を変位させる方式を利用することによって空気清潔装置の空気処理モードを変換することができる。
【発明を実施するための最良の形態】
【０００７】
まず、図１に示すように、本発明のより好ましい一実施例の空気清潔装置１は、ハウジング１０、ファン羽根２０、第１のフィルタ３０、第２のフィルタ４０、スイッチングユニット５０、及び両可動引掛け具６０を含み、そのうち、ハウジング１０内は、中空で、収容室１１と、収容室１１の一方に位置した第１の処理室１２と、収容室１１に相対する他方の第２の処理室１３とを備え、前記収容室１１は、ハウジング１０の正面に貫通口１１１が形成され、その一方に長い透し孔１１２が形成されると共に、前記第１の処理室１２及び前記第２の処理室１３は、それぞれ前記ハウジング１０の一方に外部に連通する排出口１３１、１２１が形成され、さらに、この第１の処理室１２は、第１の通口１４により前記収容室１１とつながっており、また第２の処理室１３は、第２の通口により前記収容室１１とつながっている。
【０００８】
次に、前記ハウジング１０は、その背面にレール溝１６が設けられ、このレール溝１６の両端に、それぞれつまみ１７が締付けるように設けられ、その貫通口１１１の外側に活性炭素ろ網１８を覆設して前記収容室１１内に入る空気を予め除塵または脱臭することができる。
前記ファン羽根２０は、本実施例において固定台２１により前記ハウジング１０内に取り付けられ、この固定台２１は、チューブ状で、その一端が前記ハウジング１０の貫通口１１１に連結される。また、このファン羽根２０は、前記固定台２１の他端に枢設され、前記ハウジング１０の収容室１１内に位置し、前記ファン羽根２０は、図示しないモータなどの部材に結合して外部の空気をこの収容室１１内に吸い込むことができる。
【０００９】
前記第１のフィルタ３０は、本実施例において、二酸化炭素（ＣＯ2）により、ろ過材を吸着してなるシート体であり、それに含まれた中間物にて空気中の二酸化炭素を吸着することができる。取り付ける際に、第１のフィルタ３０は、前記ハウジング１０の前記第１の処理室１２に設けられ、前記第１の通口１４を閉鎖することで、前記収容室１１から第１の処理室１２へ流入する空気は、まず第１のフィルタ３０の胴部を貫通しなければならなくなる。
【００１０】
前記第２のフィルタ４０は、本実施例において触媒により一酸化炭素（ＣＯ）を酸化してシート体を生成し、空気中の一酸化炭素分子を吸着して、さらに酸化して二酸化炭素にならしめる。取り付ける際に、前記第２のフィルタ４０は、前記ハウジング１０の前記第２の処理室１３に設けられ、前記第２の通口１５を閉鎖することで、前記収容室１１から第２の処理室１３へ流入する空気は、まず第２のフィルタ４０の胴部を貫通しなければならなくなる。
【００１１】
前記スイッチングユニット５０は、両ガイド柱５１、遮蔽具５２及び位置決めボタン５３を含む。そのうち、前記両ガイド柱５１は、それぞれ前記ハウジング１０の収容室１１内に設けられ、前記第１の通口１４及び前記第２の通口１５の一側に位置決められる。前記遮蔽具５２は、本実施例においてはシート状のさくであって、摺動移動方式で前記収容室１１内に設けられ、さらに両端がそれぞれ前記両ガイド柱５１を回って転向され、この遮蔽具５２は、第１の位置（図２参照）と第２の位置（図３参照）との間を往復的に変位することができ、この遮蔽具５２が前記第１の位置に位置決められた時、そのシート体の片端は、ハウジング１０の内壁に当接して、前記ファン羽根２０とハウジング１０の第１の通口１４との間を隔て、即ち、この第１の通口１４を閉鎖して、第２の通口１５を開放することになり、逆に、該遮蔽具５２は、前記第２の位置まで移動した時、シート体の他端が前記ハウジング１０の内壁に当接して、ファン羽根２０とハウジング１０の第２の通口１５との間を隔て、即ち、この第２の通口１５を閉鎖して第１の通口１４を開放することになる。他には、前記位置決めボタン５３と遮蔽具５２とを連結し、その一端が前記ハウジング１０の透し孔１１２を貫通して、ハウジング１０の一側に突出される。この位置決めボタン５３を作動して、遮蔽具５２を連動して、前記第１の位置または第２の位置まで移動することができる。
【００１２】
前記両可動引掛け具６０のそれぞれの一端が移動可能に前記ハウジング１０のレール溝１６の両端に嵌入され、前記のつまみ１７に当接すると共に、つまみ１７のねじり込み、ねじり出しにより、レール溝１６中を移動することができる。
図４及び図５に示すように、使用者は、前記の両可動引掛け具６０を利用して本発明の空気清潔装置１を車内の座席７０の背もたれ７２上に、またそのシート７１の下に取り付けることができる。さらに、図１から図３に合わせて示すように、この位置決めボタン５３を切換える方式により、遮蔽具５２により前記第１の通口１４及び前記第２の通口１５を開閉でき、さらに空気清潔装置１の空気ろ過モードを切換えることができる。
【００１３】
例として、車は、空気がひどく汚れた地域を走行する場合、ドライバーは、車の空調システムを内循環モードに切換えることは殆どである。このとき、車内の二酸化炭素は、時間が立つにつれて多くなるので、使用者がこの位置決めボタン５３を作動して前記遮蔽具５２を第２の位置（図３参照）に定位させる。これにより、前記第１の通口１４を開放し、第２の通口１５を閉鎖することにより、空気の全ては、前記第１のフィルタ３０を介して外方向へ排出され、空気中の二酸化炭素の浄化速度が大幅に向上される。次に、車の空調システムは、外循環モードを採用する時、使用者が前記遮蔽具５２を第１の位置に切換え（図２参照）、前記第１の通口１４を閉鎖し、前記第２の通口１５を開放することにより、外気からの一酸化炭素濃度を効果的に低下させることができる。また、部分の状態においても、車内の二酸化炭素及び一酸化炭素が共に高く存在する状態では、使用者が位置決めボタン５３を前記透し孔１１２の中央位置に定位させることにより、前記遮蔽具５２の両端が前記ハウジング１０の収容室１１の内壁面と分離して間隙（図１参照）を形成することができ、空気中に含まれた一酸化炭素及び二酸化炭素を同時に除去することができる。
【００１４】
上述のように、本発明の一実施例による空気清潔装置は、周りの環境に合せることが可能であるため、その空気の清潔モードを改めて、空気清潔の目的をより効果的に達成でき、さらにシステムの余計な運転ロードをなくして空気清潔装置の各部品の使用寿命を延長して、その後の保守コストも同時に低下させることができると共に、当該空気清潔装置の部品は排列して設置されているので、その大きさがより小さく薄く、車内に取付けるに際しても使用者の活動空間に影響することはない。
特に、説明すべきことは、この空気清潔装置は、独立単体機種であって、当該車内に取付けるために用いられる部品であるため、前記両可動引掛け具に限らず、当該ハウジング上に、如何なるゴムひもまたはフックなどの部品を組み合わせても、位置決め効果を達成することができる。
【図面の簡単な説明】
【００１５】
【図１】本発明の一実施例の断面図で、一酸化炭素及び二酸化炭素を同時にろ過する状態を示す。
【図２】本発明の一実施例の断面図で、一酸化炭素をろ過する状態を示す。
【図３】本発明の一実施例の断面図で、二酸化炭素をろ過する状態を示す。
【図４】本発明の一実施例を応用する見取り図である。
【図５】本発明の一実施例を応用する他の見取り図である。
【図６】従来の空気清潔装置を示す概略図である。
【符号の説明】
【００１６】
１  空気清潔装置、１０  ハウジング、１１  収容室、１１１  貫通口、１１２  透し孔、１２  第１の処理室、１２１  排出口、１３  第２の処理室、１３１  排出口、１４  第１の通口、１５  第２の通口、１６  レール溝、１７  つまみ、１８  活性炭素ろ網、２０  ファン羽根、２１  固定レスト、３０  第１のフィルタ、４０  第２のフィルタ、５０  スイッチングユニット、５１  ガイド柱、５２  遮蔽具、５３  位置決めボタン、６０  可動引掛け具、７０  車座席、７１  シート、７２  背もたれ
【図１】
2006176101.tif 000003
【図２】
2006176101.tif 000004
【図３】
2006176101.tif 000005
【図４】
2006176101.tif 000006
【図５】
2006176101.tif 000007
【図６】
2006176101.tif 000008